(57)【要約】【課題】加熱炉の下に設置される徐冷用延長管の加熱炉やアダプタに対する気密性及び徐冷用延長管を簡単に外して縮め加熱炉の下でのファイバ切断性を向上できる紡糸機用延長管及び紡糸機を提供する。【解決手段】光ファイバ母材１２を加熱する加熱炉１０下部に中空の徐冷用延長管（第１の徐冷用延長管２４および第２の徐冷用延長管２６）を設け、該加熱炉１０から下方に向けて引き出された光ファイバ１４を前記徐冷用延長管の中空内に通して徐冷するものであって、前記中空の徐冷用延長管は、屈曲および伸縮が可能なベローズ状の本体２４ａの上端および下端にフランジ２４ｂおよび２４ｃを設けた第１の徐冷用延長管２４と、管状の本体２６ａの上端および下端にフランジ２６ｂおよび２６ｃを設けた第２の徐冷用延長管２６とを有し構成されている。【選択図】図１
2011173733.tif 000002
【特許請求の範囲】
【請求項１】
光ファイバ母材を加熱する加熱炉下部に中空の徐冷用延長管を設け、該加熱炉から下方に向けて引き出された光ファイバを前記中空内に通して徐冷する光ファイバの紡糸機において、
前記中空の徐冷用延長管は、伸縮かつ屈曲が可能な概略筒状の本体を設けた第１の徐冷用延長管と、管状の本体を設けた第２の徐冷用延長管とを有し、
前記第１の徐冷用延長管を加熱炉下部に接続し、前記第１の徐冷用延長管の下部に前記第２の徐冷用延長管を接続したことを特徴とする紡糸機溶延長管。
【請求項２】
前記加熱炉下部に中空のアダプタを設け、このアダプタの下部に前記第１の徐冷用延長管の上端を別体のネジによってネジ結合し、
前記第１の徐冷用延長管の下端に、第２の徐冷用延長管の上端を別体のネジによってネジ結合したことを特徴とする請求項１に記載の紡糸機用延長管。
【請求項３】
第２の徐冷用延長管に、その本体を側方から支持しかつ芯出しをするため移動可能にする延長管用ブラケットを設けたことを特徴とする請求項１または２に記載の紡糸機用延長管。
【請求項４】
アダプタは上端および下端にフランジが設けられ、上端のフランジを加熱炉下部に当接して取り付け、下端のフランジを第１の徐冷用延長管の上端のフランジに別体のネジによってネジ結合することを特徴とする請求項１から３のうちの１項に記載の紡糸機用延長管。
【請求項５】
請求項１ないし４のうちの１項に記載の紡糸機延長管を用いたことを特徴とする光ファイバの紡糸機。
【発明の詳細な説明】
【技術分野】
【０００１】
本発明は光ファイバの製造に用いられる紡糸機用延長管及び紡糸機に関し、特に加熱炉の下に設置した徐冷用延長管及び紡糸機に関する。
【背景技術】
【０００２】
従来から使用される、光ファイバの紡糸機は、図４（ａ）に示すように、加熱炉１０内に光ファイバ母材１２を上方から挿入し、当該母材１２をヒータ１０ａの熱で加熱して熔融させ、熔融した母材１２から細く引き出された光ファイバ１４の先端１４ａを図示しない引取機によって引取ることにより、光ファイバ１４を連続的に製造している。加熱炉１０の外壁部１０ｂ内に断熱材１０ｃが装填されてヒータ１０ａ発生熱が逃げないようにしている。
【０００３】
加熱炉１０の下方には、熔融後で高温の光ファイバ１４を内部に通して徐冷する徐冷用延長管１６が設けられて、当該延長管１６内にガスや空気を吹き込む等して徐冷している（特開２００４−１５５６１０号（特許文献１）、特開平１０−１９４７７０号（特許文献２））。
【０００４】
この種の徐冷用延長管１６は、管本体１６ａの上端・下端にフランジ１６ｂ・１６ｃが形成されている。加熱炉１０の下部のネジ部１０ｄ（雌ネジが形成）内に上部１８ａ（雄ネジが形成）がねじ込まれてアダプタ１８が固定される。そして、そのアダプタ１８の下部には、上記ネジ部１０ｄと同様の雌ネジ穴が形成されている。加熱炉１０下面とアダプタ１８間と、アダプタ１８と徐冷用延長管１６のフランジ間はＯ（オー）リング等によってシールをしている。
【０００５】
図４（ｂ）に示すように、徐冷用延長管１６の上端のフランジ１６ｂには、上方に向けて突出した筒状部の外周に雄ネジ１６ｄが形成されている。
【０００６】
前記アダプタ１８下部の雌ネジ穴に、下方から前記上端フランジ１６ｂの筒状に突出した雄ネジ１６ｄを螺合して固定することによって、アダプタ１８（上記加熱炉１０）に前記徐冷用延長管１６を接続し固定する。
【０００７】
このように徐冷用延長管１６は、アダプタ１８の下部にフランジ１６ｂの雄ネジ１６ｄをねじ込んで固定するため、前記徐冷用延長管１６が曲がりがあった場合に、その曲がりを修正して前記徐冷用延長管１６を芯出し（位置調整等）する必要がある。しかしながら、下記のような問題があるため、芯出しが困難であった。
【０００８】
すなわち、徐冷用延長管１６の芯出しのため、例えば図４に示すように、徐冷用延長管１６の反固定側の自由端について、水平に沿うＸ・Ｙ方向の四方からネジ２２ａ、２２ａ…によって押圧する調芯治具２２を設けている。図４の（ｃ）は鉛直方向から見た調芯治具であり、符号２２ｂ、２２ｂで示すフレームは所冷用延長管１６を挟むように位置して、フレーム２２ｂ、２２ｂに螺合させたネジ２２ａ、２２ａ…を徐冷用延長管１６に当接させている。符号２２ｃは調芯治具２２を取り付けるベースである。
調芯時には、この調芯治具２２のネジ２２ａ、２２ａ…を回してその先端位置を調整することによって、上記徐冷延長管１６の自由端をＸ・Ｙ方向に適切に振って曲げる（曲げられた徐冷用延長管１６を破線で示す）等して芯出ししており、当該徐冷用延長管１６の曲げが大きいと、加熱炉１０、アダプタ１８、フランジ１６ｂの雄ネジ部１６ｄ等のネジ部適所に設けられたシール部分が歪むなどして加熱炉１０や徐冷用延長管１６の内部の気密が不良になって内部ガスが漏れ出す虞があった。
【０００９】
設置された徐冷用延長管１６の曲げの原因としては、
（１）加熱炉１０下部のネジ部１０ｄが垂直方向に沿うように形成されていない場合。
（２）徐冷用延長管１６は、管本体１６ａにフランジ１６ｂ・１６ｃを溶接して製作しており、この際に、フランジ１６ｂ・１６ｃが管本体１６ａに対して曲がり（歪み）が生じた場合が挙げられる。
【００１０】
また、徐冷用延長管１６がアダプタ１８とネジ込み接続（固定）する構造であるので、当該徐冷用延長管１６をアダプタ１８から外して空間を空けて、加熱炉１０下部付近で光ファイバ１４を切断できず、作業性向上の障害になるという解決すべき課題もある。
【先行技術文献】
【特許文献】
【００１１】
【特許文献１】特開２００４−１５５６１０号
【特許文献２】特開平１０−１９４７７０号
【発明の概要】
【発明が解決しようとする課題】
【００１２】
本発明は、斯かる実情に鑑み、加熱炉の下に設置される徐冷用延長管の加熱炉やアダプタに対する気密性及び徐冷用延長管を簡単に外して縮め加熱炉の下でのファイバ切断性を向上できる紡糸機用延長管及び紡糸機を提供しようとするものである。
【課題を解決するための手段】
【００１３】
本発明は、光ファイバ母材を加熱する加熱炉下部に中空の徐冷用延長管を設け、該加熱炉から下方に向けて引き出された光ファイバを前記中空内に通して徐冷する光ファイバの紡糸機において、
前記中空の徐冷用延長管は、伸縮かつ屈曲が可能な概略筒状の本体を設けた第１の徐冷用延長管と、管状の本体を設けた第２の徐冷用延長管とを有し、
前記第１の徐冷用延長管を加熱炉下部に接続し、前記第１の徐冷用延長管の下部に前記第２の徐冷用延長管を接続したことを特徴とする紡糸機溶延長管である。
【００１４】
本発明においては、前記加熱炉下部に中空のアダプタを設け、このアダプタの下部に前記第１の徐冷用延長管の上端を別体のネジによってネジ結合し、
前記第１の徐冷用延長管の下端に、第２の徐冷用延長管の上端を別体のネジによってネジ結合したことが好適である。
【００１５】
本発明においては、第２の徐冷用延長管に、その本体を側方から支持しかつ芯出しをするため移動可能にする延長管用ブラケットを設けたことが好適である。
【００１６】
本発明においては、アダプタは上端および下端にフランジが設けられ、上端のフランジを加熱炉下部に当接して取り付け、下端のフランジを第１の徐冷用延長管の上端のフランジに別体のネジによってネジ結合することが好適である。
【００１７】
本発明は、上記記載の紡糸機用延長管を用いたことを特徴とする光ファイバの紡糸機である。
【発明の効果】
【００１８】
本発明の紡糸機用延長管及び紡糸機によれば、中空の徐冷用延長管を、伸縮かつ屈曲が可能な概略筒状の本体（例えばベローズ状または互いに摺接する多重管等）を設けた第１の徐冷用延長管と、管状の本体を設けた第２の徐冷用延長管とを有し、前記第１の徐冷用延長管を加熱炉下部に接続し、前記第１の徐冷用延長管の下部に前記第２の徐冷用延長管を接続したものとしたので、上記第１の徐冷用延長管の概略筒状の本体を伸縮や屈曲ができ、これによって、第１の徐冷用延長管及び第２の徐冷用延長管を芯出しする際に振り回しやすくかつ第１の徐冷用延長管または第２の徐冷用延長管自体をこじることが無いので、気密性の低下を確実に防止できる。
【００１９】
なお、加熱炉下部に設けた中空のアダプタの下部に前記第１の徐冷用延長管の上端を別体のネジによってネジ結合し、前記第１の徐冷用延長管の下端に、第２の徐冷用延長管の上端を別体のネジによってネジ結合したので、アダプタからネジを外せば、アダプタから第１の徐冷用延長管を外すことができ、その本体が伸縮可能であるので、当該本体を縮めて、加熱炉下部に空間を空け、光ファイバを露出させて切断することが簡単にでき取り扱い易い。
【図面の簡単な説明】
【００２０】
【図１】本発明の実施形態に係るに徐冷用延長管を設けた紡糸機の全体説明図である。
【図２】図１の徐冷用延長管およびその周辺の説明図である。
【図３】図１の徐冷用延長管の第１の徐冷用延長管の詳細図である。
【図４】（ａ）は従来の紡糸機用延長管（徐冷用延長管）を設けた紡糸機の全体説明図、（ｂ）はアダプタ周辺の説明図、（ｃ）は徐冷用延長管用の調芯治具の横断した説明図である。
【発明を実施するための形態】
【００２１】
以下、本発明の実施の形態を添付図面を参照して説明する。
【００２２】
図１は、実施形態に係る徐冷用延長管を設けた紡糸機の全体説明図、図２は、図１の徐冷用延長管およびその周辺の説明図、図３は、図１の徐冷用延長管の第１の徐冷用延長管の詳細図である。なお、図中、図４と同一の符号を付した部分は同一物を表わす。
【００２３】
実施形態に係る光ファイバの紡糸機は、光ファイバ母材１２を加熱する加熱炉１０下部に中空の徐冷用延長管（第１の徐冷用延長管２４および第２の徐冷用延長管２６）を設け、該加熱炉１０から下方に向けて引き出された光ファイバ１４を前記徐冷用延長管の中空内に通して徐冷するものである。
【００２４】
前記中空の徐冷用延長管は、伸縮かつ屈曲の可能なベローズ状の本体２４ａの上端および下端にフランジ２４ｂおよび２４ｃを設けた第１の徐冷用延長管２４と、管状の本体２６ａの上端および下端にフランジ２６ｂおよび２６ｃを設けた第２の徐冷用延長管２６とを有し、前記第１の徐冷用延長管２４を加熱炉１０下部に接続し、前記第１の徐冷用延長管２４下部に前記第２の徐冷用延長管２６を接続して構成されている。
【００２５】
前記加熱炉１０下部に中空のアダプタ２８を設け、このアダプタ２８の下部に前記第１の徐冷用延長管２４の上端のフランジ２４ｂを別体のネジ３０によってネジ結合する。
【００２６】
そして、前記第１の徐冷用延長管２４の下端のフランジ２４ｃに、第２の徐冷用延長管２６の上端のフランジ２６ｂを別体のネジ３２によってネジ結合したものである。
【００２７】
また、第２の徐冷用延長管２６に、その本体を側方から支持しかつ芯出しをするため延長管本体２６ａを水平方向に移動可能な延長管用ブラケット３４を設けている。
【００２８】
また、アダプタ２８は管状の本体２８ａの上端および下端にフランジ２８ｂおよび２８ｃが設けられる。その上端のフランジ２８ｂ上部から外周に雄ネジの形成された筒状部２８ｄが上方向きに突出形成されている。当該筒状部２８ｄを加熱炉１０下部のネジ部１０ｄにねじ込んで上端のフランジ２８ｂを加熱炉１０下部に当接させて取り付ける。
【００２９】
また、アダプタ２８下端のフランジ２８ｃに、第１の徐冷用延長管２４の上端のフランジ２４ｂを突き合わせて両者（フランジ２８ｃとフランジ２４ｂ）同士を別体のネジ３０（穴付きボルトまたは六角ボルトが好ましい）によってネジ結合する。ネジ３０はアダプタ２８側のフランジ２８ｃ（通孔）から、第１の徐冷用延長管２４のフランジ２４ｂ（雌ネジ孔）に下向きに通して螺着する。
【００３０】
また、同様に、第１の徐冷用延長管２４下端のフランジ２４ｃに、第２の徐冷用延長管２６の上端のフランジ２６ｂを突き合わせて両者（フランジ２４ｃとフランジ２６ｂ）同士を別体のネジ３２（穴付きボルトまたは六角ボルトが好ましい）によってネジ結合する。ネジ３２は第１の徐冷用延長管２４のフランジ２４ｃ（通孔）から第２のアダプタ２８側のフランジ２６ｂ（雌ネジ孔）に下向きに通して螺着する。
なお、第１の徐冷用延長管２４、第２の徐冷用延長管２６、アダプタ２８は耐熱性の観点からＳＵＳ材とすることが好ましい。また、ネジ３０、３２も必要に応じてＳＵＳ材とすることが好ましい。
【００３１】
前記延長管用ブラケット３４は、第２の徐冷用延長管２６の本体２６ａを取り囲むようにして支持する支持治具３４ａと当該支持治具３４ａを左右に駆動する駆動体３４ｂとを有している。前記延長管用ブラケット３４はアルミニウムを材質とすることが好適である。また、駆動体３４ｂの駆動機構が適宜に設定できるのでその図示は略する。
【００３２】
前記支持治具３４ａは、図２に示すように、筒状であって上端および下端それぞれに蓋部３４ｃ、３４ｃの径方向中央部の空間に、第２の徐冷用延長管２６本体２６ａを挿通させると共に、それら蓋部３４ｃ、３４ｃに内径方向にねじ込んだ複数（実施形態では４つ）のネジ３４ｃ１、３４ｃ１…によって、第２の徐冷用延長管２６本体２６ａを外周から挟み付けて位置調整可能に固定している。つまり、それら複数のネジ３４ｃ１，３４ｃ１…の出し入れによって第２の徐冷用延長管２６本体２６ａの固定位置が調整可能になっている。
【００３３】
実施形態に係る紡糸機および紡糸機用の延長管によれば、中空の徐冷用延長管を、屈曲および伸縮の可能なベローズ状の本体２４ａの上端および下端にフランジ２４ｂおよび２４ｃを設けた第１の徐冷用延長管２４と、管状の本体２６ａの上端および下端にフランジ２６ｂおよび２６ｃを設けた第２の徐冷用延長管２６とを有したものとしていることから、徐冷用延長管の芯出しに際して、上記第１の徐冷用延長管２４本体２４ａのベローズが柔軟に屈曲するので、第２の徐冷用延長管２６を芯出しする際に振り回しやすくかつ加熱炉１０下部に設けたアダプタ２８や徐冷用延長管自体をこじることが無いので、気密性の低下を確実に防止できる。
【００３４】
また、加熱炉１０下部に設けた中空のアダプタ２８の下部フランジ２８ｃに前記第１の徐冷用延長管２４の上端のフランジ２４ｂを別体のネジ３０によってネジ結合し、前記第１の徐冷用延長管２４の下端のフランジ２４ｃに、第２の徐冷用延長管２６の上端のフランジ２６ｂを別体のネジ３２によってネジ結合したので、アダプタ２８からネジ３０を外せば、第１の徐冷用延長管２４をアダプタ２８から外すことができ、本体２４ａのベローズを縮めて、加熱炉１０下部に空間を空け、光ファイバ１４を露出させて切断することが簡単にでき、取り扱い易い。
【００３５】
なお、本発明は、上記の実施形態に限定されず、種々の形態に変形が可能である。例えば、第１の徐冷用延長管において伸縮が可能な概略筒状の本体には、上記実施形態のベローズ状の本体に限定されず、内筒および外筒が気密を保って摺接する二重筒体構造等複数の筒が摺接する多重管構造を当該第１の徐冷用延長管の本体の構成とすることができる。
【産業上の利用可能性】
【００３６】
本発明の紡糸機用延長管及び紡糸機は、加熱炉の下に設置される徐冷用延長管の気密性及び徐冷用延長管を簡単に外して加熱炉の下でのファイバ切断性を向上するために利用できる。
【符号の説明】
【００３７】
１０  加熱炉
１２  光ファイバ母材
１４  光ファイバ
１４ａ  光ファイバの先端
２４  第１の徐冷用延長管
２４ａ  第１の徐冷用延長管の本体
２４ｂ  第１の徐冷用延長管の上端のフランジ
２４ｃ  第１の徐冷用延長管の下端のフランジ
２６  第２の徐冷用延長管
２６ａ  第２の徐冷用延長管の本体
２６ｂ  第２の徐冷用延長管の上端のフランジ
２６ｃ  第２の徐冷用延長管の下端のフランジ
２８  アダプタ
２８ａ  アダプタの本体
２８ｂ  アダプタの上端のフランジ
２８ｃ  アダプタの下端のフランジ
２８ｄ  アダプタの上端の筒状部
３０  ネジ
３２  ネジ
３４  延長管用ブラケット
３４ａ  ブラケットの支持治具
３４ｂ  ブラケットの駆動体
【図１】
2011173733.tif 000003
【図２】
2011173733.tif 000004
【図３】
2011173733.tif 000005
【図４】
2011173733.tif 000006